(57)【要約】【課題】生ごみ処理機において、舞い上がった処理物の破片が上方の蓋部に付着し、生ごみ収納容器を着脱する際に本体内へ落下し、本体の汚れや処理時の悪臭の原因となった。【解決手段】生ごみ収納容器２の上部を天板４で覆う構成とし、生ごみを投入する為の開口部５ａ、５ｂあるいは生ごみ収納容器２内部の空気を循環または排気するための空気取入口（通気口）１１ａ、空気吐出口（通気口）１１ｂを、生ごみ収納容器２の設置面に対して略水平方向に開口させると共に、生ごみ収納容器２を、生ごみ処理機本体１の設置面に対し、ほぼ水平に引き出し可能な構成とした。これにより、舞い上がった処理物の破片が生ごみ収納容器２の外へ飛散することなく、全て生ごみ収納容器２の中へ落下させることができるようになる。【選択図】図５
2009125731.tif 000002
【特許請求の範囲】
【請求項１】
生ごみを収納する生ごみ収納容器と前記生ごみを撹拌する撹拌手段とを内蔵した生ごみ処理機本体と、前記生ごみ収納容器内の生ごみを加熱する加熱手段を有し、前記生ごみ収納容器の上部を天板で覆い、生ごみを投入するための開口部あるいは前記生ごみ収納容器内部の空気を循環または排気するための通気口を、生ごみ収納容器の設置面に対して略水平方向に開口させると共に、前記生ごみ収納容器を、生ごみ処理機本体の設置面に対し、ほぼ水平に引き出し可能な構成とした生ごみ処理機。
【請求項２】
生ごみ処理機本体において、生ごみ収納容器の上方に生ごみ投入口と、前記生ごみ収納容器に形成された開口部へと連通する生ごみ搬送経路を有し、前記生ごみ収納容器内へ空気を吹き付けるための吹出口を前記生ごみ搬送経路中段に備え、吹出す風により、生ごみ搬送経路内に残った生ごみや塵を、前記生ごみ収納容器内へ吹き込ませる構成とした請求項１に記載の生ごみ処理機。
【請求項３】
生ごみを投入する開口部に隣接する天板の一部を可動式として、前記開口部を略垂直上向きに拡大可能な構成とした請求項１または２記載の生ごみ処理機。
【発明の詳細な説明】
【技術分野】
【０００１】
本発明は、台所等で出る生ごみを処理する生ごみ処理機に関し、特に生ごみを収納・処理するための生ごみ収納容器に関するものである。
【背景技術】
【０００２】
従来の生ごみ処理機を、図７、図８を用いて説明する。図７は従来の生ごみ処理機の蓋を閉じた状態の断面図、図８は従来の生ごみ処理機の蓋を開けた状態の断面図を示すものである。
【０００３】
図７、図８において、１は生ごみ処理機本体、２は生ごみを収納する生ごみ収納部で、底面に生ごみを撹拌する撹拌羽根３を備えている。この生ごみ収納部２の上部に生ごみを加熱する加熱手段６を配してり、加熱手段６は生ごみを加熱するための乾燥ヒータ７と乾燥ファン８で構成され、乾燥ヒータ７に乾燥ファン８の風を直接当てることで、熱風を作り出し、その熱風を生ごみに当てて生ごみの表面を加熱乾燥する。なお乾燥ファン８は乾燥モータ９により回転駆動されている。また、回転部や高温部に指などが触れることがないよう、安全のため保護カバー９にて乾燥ファン８や乾燥ヒータ７を覆っている。
【０００４】
生ごみ収納部２の上方には吸気口１１が設けられており、この吸気口１１は生ごみ収納部２をから接続パイプ１２を通じて脱臭手段１３に接続されている。脱臭手段１３は加熱されて臭気を脱臭する触媒１４と、触媒を加熱する触媒加熱ヒータ１５で構成さている。
【０００５】
脱臭手段１３の下段には、排気手段１４を備え、脱臭された空気を排気口１８より本体の外部へと排出する。
【０００６】
図８に示す通り、蓋部１９は開閉自在であり、生ごみ収納容器は、蓋部１９を開いた状態で、外容器５から上方へ引き出すように着脱自在である。
【特許文献１】特開２００５−２１８９２９号公報
【発明の開示】
【発明が解決しようとする課題】
【０００７】
しかしながら、上記従来の構成における生ごみ収納容器は、吹き付ける温風や撹拌装置により舞い上がった処理物の破片が生ごみ収納容器の上方の蓋部、乾燥ヒータや乾燥ファンの周囲、保護カバーの表面に付着する。この状態で蓋部を上方へ開き、生ごみ収納容器を着脱するすると、外容器の中や、本体の周辺へ前記処理物の破片が落下し、本体の汚れや、処理時の悪臭の原因となることがあった。
【課題を解決するための手段】
【０００８】
上記課題を解決するために、本発明は、生ごみ収納容器の上部を天板で覆い、生ごみを投入する為の開口部あるいは前記生ごみ収納容器内部の空気を循環または排気するための通気口を、生ごみ収納容器の設置面に対して略水平方向に開口させると共に、前記生ごみ収納容器を、生ごみ処理機本体の設置面に対し、ほぼ水平に引き出し可能な構成とし、生ごみ収納容器内部の生ごみ処理物やその破片が生ごみ収納容器以外へ付着し、生ごみ収納容器の着脱時などに本体内や周辺へ飛散することを解消させ、より使い勝手の良い生ごみ処理機を提供する。
【発明の効果】
【０００９】
本発明によれば、生ごみ処理物やその破片が生ごみ収納容器以外へ付着することを低減し、生ごみ収納容器の着脱時などに生ごみ処理物が本体内や周辺へ飛散することを解消させ、より使い勝手の良い生ごみ処理機を提供できる。
【発明を実施するための最良の形態】
【００１０】
第１の発明は、生ごみを収納する生ごみ収納容器と前記生ごみを撹拌する撹拌手段とを内蔵した生ごみ処理機本体と、前記生ごみ収納容器内の生ごみを加熱する加熱手段を有し、前記生ごみ収納容器の上部を天板で覆い、生ごみを投入する為の開口部あるいは前記生ごみ収納容器内部の空気を循環または排気するための通気口を、生ごみ収納容器の設置面に対して略水平方向に開口させると共に、前記生ごみ収納容器を、生ごみ処理機本体の設置面に対し、ほぼ水平に引き出し可能な構成としたもので、生ごみ収納容器の上部に天板を備えることで、生ごみの乾燥処理工程において、吹き付ける温風や撹拌装置により舞い上がった処理物の破片が生ごみ収納容器の上方の蓋部に付着することを低減し、生ごみ収納容器を着脱する際に本体内へ前記処理物の破片が落下し、本体の汚れや、処理時の悪臭の原因となることを防ぐことができる。
【００１１】
また、生ごみ収納容器を生ごみ処理機本体から直接引き出す構成とすることで、本体の構成を簡素化することができる。特に、従来構成のように、開閉可能な蓋部に生ごみを加熱するための加熱手段や、生ごみ処理容器内の蒸気を排出するための吸気口を有した構成に対して、前記加熱手段や吸気口を生ごみ処理機本体側へ集約することが可能であり、蓋部を簡素な構成となるため、部品点数の削減を図ることができ、これにより、使い勝手を向上させた生ごみ処理機を提供することができる。
【００１２】
第２の発明は、第１の発明の生ごみ処理機本体において、生ごみ収納容器の上方に生ごみ投入口と、前記生ごみ収納容器に形成された開口部へと連通する生ごみ搬送経路を有し、前記生ごみ収納容器内へ空気を吹き付けるための吹出口を前記生ごみ搬送経路中段に備え、吹出す風により、生ごみ搬送経路内に残った生ごみや塵を、前記生ごみ収納容器内へ吹き込ませる構成としたもので、使用者は生ごみを投入する際には前記生ごみ搬送経路の生ごみ投入口へ生ごみを投入すればよく、また、生ごみの投入の際に、生ごみ搬送経路内に付着、残った生ごみを風によって生ごみ収納容器内へ吹き入れることが可能となり、生ごみ収納容器の着脱時に、生ごみ搬送経路内に残った生ごみや塵が本体内へ落下することを防ぎ、本体の汚れや、処理時の悪臭の原因となることを防ぐことができる。これにより、使い勝手を向上させた生ごみ処理機を提供することができる。
【００１３】
第３の発明は、第１または第２の発明の生ごみを投入する開口部に隣接する天板の一部を可動式として、前記開口部を略垂直上向きに拡大可能な構成としたもので、生ごみを投入するための開口部がほぼ垂直上向きに拡大することで生ごみの投入が容易になり、使い勝手を向上させることができる。
【００１４】
以下、本発明の実施の形態について、図面を参照しながら説明する。なお、この実施の形態により本発明が限定されるものではない。
【００１５】
（実施の形態１）
図１は、本発明の第１の実施の形態における生ごみ処理機の概略図、図２は生ごみ収納容器の断面図である。図２において、生ごみ収納容器２は内部に生ごみを撹拌するための撹拌羽根（撹拌手段）３を有しており、また、開口部５ａは上部を天板４に覆われ、略水平方向に開口している。図１において、１は生ごみ処理機本体であり、生ごみ収納容器２は外容器１２の中へ格納されている。外容器１２は生ごみ処理機本体１の側面に開口しており、生ごみ収納容器２を生ごみ処理機本体１より水平方向へ引き出すように着脱可能となっている。また、生ごみ収納部２の上方に生ごみを加熱する加熱手段６を配してり、加熱手段６は生ごみを加熱するための乾燥ヒータ７と乾燥ファン８と乾燥ファンケース１０で構成され、空気取込口（通気口）１１ｂより取り込んだ空気を乾燥ヒータ７に乾燥ファン８によって直接当てることで、熱風を作り出し、その熱風を空気吐出口１１ａより生ごみ収納容器２内の生ごみに当てて生ごみの表面を加熱乾燥する。なお、乾燥ファン８は乾燥モータ９により回転駆動されている。
【００１６】
上記の様な構成によって、生ごみ収納容器内において、温風で巻き上げられた生ごみ処理物の破片や塵が生ごみ収納容器の上面および、開口部５ａ上方の天板４に付着した場合においても、全て、生ごみ収納容器２内へ落下するため、生ごみ収納容器２の着脱の際に本体１の周囲や外容器１２の内部に処理物の破片や塵が落下、付着し、本体の汚れや、処理中の臭いの原因となることを防ぐことができる。
【００１７】
また、従来のように、開閉可能な蓋部内に乾燥手段などを備える構成に対し、乾燥手段６や乾燥モータ９を本体１内に配することで、本体構成を簡素化し、部品点数の削減を図ることができる。
【００１８】
（実施の形態２）
図３は、本発明の第２の実施の形態における生ごみ処理機の概略図であり、図３に示すように、生ごみ収納容器２は、水平に開口した複数の開口部５ａ、５ｂを有し、それぞれの開口部は乾燥ファンケース１０の空気吐出口（通気口）１１ａ、空気取込口（通気口）１１ｂに連通している。生ごみ収納容器２内の空気は、空気取込口１１ｂより乾燥ファンケース１０内へ取り込まれ、加熱手段６を介して温風とした上で、空気吐出口１１ａより生ごみ収納容器内へ戻され、生ごみの表面へ吹きつけられる。
【００１９】
上記の様な構成において、空気吐出口１１ａと空気取込口１１ｂを、それぞれ生ごみ収納容器２の前方と後方、あるいは右側と左側など、離して形成することで、生ごみ収納容器内に効率良く温風を循環させることが可能となり、乾燥性能を高めることが可能となる。
【００２０】
（実施の形態３）
図４は、本発明の第３の実施の形態における生ごみ処理機の概略図である。図４において、生ごみ処理機本体１は、上部には生ごみ投入口１３と、投入口蓋１４を有している。生ごみ投入口１３は生ごみ搬送経路１５を介して、生ごみ収納容器２の開口部５ａに連通しており、生ごみ投入口１３から投入された生ごみは生ごみ搬送経路１５を通り、生ごみ収納容器２内へと入る。生ごみ搬送経路の下方は生ごみ収納容器２の開口部５ａに向かって傾斜しており、投入された生ごみが、生ごみ搬送経路１５内に残ることなく、生ごみ収納容器２内へ滑り落ちるように形成されているものとする。
【００２１】
上記のような構成とすることで、容易に生ごみを投入することが可能であり、また、投入口蓋を開けても、生ごみ処理物が使用者の目に触れにくく、不快感を感じることなく使用することが可能となり、使い勝手の良い生ごみ処理機を提供することが可能となる。
【００２２】
（実施の形態４）
図５は、本発明の第４の実施の形態における生ごみ処理機の概略図である。図５において、乾燥ファンケース１０の空気吐出口を生ごみ搬送経路１５の途中に連通させ、吹出される温風によって、生ごみ搬送経路１５内に付着した生ごみを、生ごみ収納容器２内へ吹き入れることが可能となる。これにより、投入した生ごみを、生ごみ搬送経路１５内に残すことなく、確実に生ごみ収納容器２内へ取り込むことが可能となり、生ごみ収納容器２の着脱の際などに、生ごみ搬送経路１５内に残った生ごみ等が外容器１２内に落下することを防ぐと同時に、生ごみ搬送経路１５内に付着した水滴も乾燥させることが可能なため、生ごみ処理機本体を清潔な状態に保つことが可能となる。
【００２３】
（実施の形態５）
図６は、本発明の第５の実施の形態における生ごみ収納容器の断面図である。
【００２４】
図６において、生ごみ収納容器２の開口部５ａを形成する天板４は開閉軸１７を中心に上方へ開閉自在であり、生ごみ収納容器２を本体１より引き出した後、前記天板４を開くことで開口部５ａを略垂直方向に拡大させ、生ごみの投入や取出を容易になる。また、開閉軸１７部に開閉バネ１８を備え、生ごみ収納容器２を本体１から引き出すと同時に、天板４が上方へ開くような構成とすることで、より使い勝手の良い生ごみ処理機とする事ができる。
【産業上の利用可能性】
【００２５】
以上のように、本発明にかかる生ごみ処理機は、生ごみ処理物やその破片が生ごみ収納容器以外へ付着することを低減し、生ごみ収納容器の着脱時などに生ごみ処理物が本体内や周辺へ飛散することを解消させ、より使い勝手の良い生ごみ処理機を提供できる。また、生ごみ収納容器を本体から水平に引き出す構成をとることで、従来構成と比較して蓋部を簡素な構成とすることが可能となり、部品点数の削減などコスト的に有意な効果を得ることができる。
【図面の簡単な説明】
【００２６】
【図１】本発明の実施の形態１における生ごみ処理機の断面図
【図２】同、実施の形態１における生ごみ収納容器の断面図
【図３】同、実施の形態２における生ごみ処理機の断面図
【図４】同、実施の形態３における生ごみ処理機の断面図
【図５】同、実施の形態４における生ごみ処理機の断面図
【図６】同、実施の形態５における生ごみ収納容器の断面図
【図７】従来の生ごみ処理機の蓋を閉じた状態の断面図
【図８】従来の生ごみ処理機の蓋を開けた状態の断面図
【符号の説明】
【００２７】
１      生ごみ処理機本体
２      生ごみ収納容器
３      撹拌羽根
４      天板
５、１２  外容器
５ａ、５ｂ  開口部
６      加熱手段
７      乾燥ヒータ
８      乾燥ファン
９      乾燥モータ
１０    乾燥ファンケース
１１ａ  空気吐出口（通気口）
１１ｂ  空気取込口（通気口）
１２    外容器
１３    生ごみ投入口
１４    投入口蓋
１５    生ごみ搬送経路
【図１】
2009125731.tif 000003
【図２】
2009125731.tif 000004
【図３】
2009125731.tif 000005
【図４】
2009125731.tif 000006
【図５】
2009125731.tif 000007
【図６】
2009125731.tif 000008
【図７】
2009125731.tif 000009
【図８】
2009125731.tif 000010